(57)【特許請求の範囲】
【請求項１】
受信部及び送信部を有し、床面を反射した信号が前記受信部を介して受信されたときその信号から調光情報を読み込んでランプを調光点灯し、かつ、予め設定された送信順序を示す送信番号に従って前記信号を前記送信部から床面に送信して反射させる複数の照明器具と、照明器具間に設置された中継器とを備え、
前記中継器は、
床面を反射した隣接の照明器具からの信号を受信する受信部と、
受信された信号を床面に送信して反射させる送信部と、
記憶手段と、
前記受信部を通じて信号の受信を検知したときに前記記憶手段に送信順序を示す送信番号が保存されているかどうかを判別し、その結果を通知する送信番号判別手段と、
該送信番号判別手段から送信番号無しの通知を受けたとき、予め設定された一定時間待機後に、受信された信号を前記送信部から送信する送信制御手段と、
送信番号有りの通知を受けたとき、前記記憶手段に保存された送信番号から受信信号の送信時間を設定し、かつ、その送信時間と一定時間待機の解除命令とを通知する送信時間設定手段とを有し、
前記送信制御手段は、送信時間と一定時間待機の解除命令の通知を受けたとき、その送信時間の経過後に受信信号を前記送信部から送信することを特徴とする照明システム。
【発明の詳細な説明】
【０００１】
【発明の属する技術分野】
本発明は、照明器具からの赤外線信号を他の照明器具に転送する中継器を有する照明システムに関するものである。
【０００２】
【従来の技術】
図４は従来の照明システムの運用を示す模式図である。この図に示す各照明器具１〜４は、赤外線信号を受信する受信部５と、赤外線信号を送信する送信部６とを備え、各照明器具１〜４の間隔は、相互に床面を反射した赤外線信号を受信できる範囲内に設置されている。照明器具１の送信部６から送信された赤外線信号は床面を反射して照明器具２の受信部５によって受信され、この照明器具２の送信部６から送信された赤外線信号は前記と同様に床面を反射して照明器具３の受信部５によって受信され、さらに、照明器具３から送信された赤外線信号は照明器具４に受信される。この赤外線信号は例えば３８ＫＨｚのパルス波で、各種制御情報を搬送している。赤外線信号によって調光情報が搬送されていた場合は、各照明器具１〜４は、その調光情報を読み込んで同じ調光度で蛍光ランプ７を点灯する。
【０００３】
【発明が解決しようとする課題】
ところで、前述した各照明器具１〜４の取付位置は照明設備の設計図に基づいたものであるが、建物のレイアウトの変更によるパーテーション等の追加によって赤外線信号が送受信できなくなることがあった。このような状況になった場合には、設計上、照明器具が必要ないにもかかわらず、赤外線信号の送受信を可能にするために照明器具を追加しなければならなかった。
【０００４】
また、外部環境の影響によって赤外線信号が阻害されたり妨害されて、設計通りに照明器具が点灯しないことがあった。この場合も、前記と同様に赤外線信号の送受信を確実に行えるようにするために、本来必要のない照明器具を追加しなければならなかった。
【０００５】
本発明は、かかる課題を解決するためになされたもので、照明器具を追加することなく赤外線信号の送受信を確実に行える照明システムを提供することを目的とする。
【０００６】
【課題を解決するための手段】
本発明に係る照明システムは、受信部及び送信部を有し、床面を反射した信号が前記受信部を介して受信されたときその信号から調光情報を読み込んでランプを調光点灯し、かつ、予め設定された送信順序を示す送信番号に従って前記信号を送信部から床面に送信して反射させる複数の照明器具と、照明器具間に設置された中継器とを備え、中継器は、床面を反射した隣接の照明器具からの信号を受信する受信部と、受信された信号を床面に送信して反射させる送信部と、記憶手段と、受信部を通じて信号の受信を検知したときに記憶手段に送信順序を示す送信番号が保存されているかどうかを判別し、その結果を通知する送信番号判別手段と、送信番号判別手段から送信番号無しの通知を受けたとき、予め設定された一定時間待機後に、受信された信号を送信部から送信する送信制御手段と、送信番号有りの通知を受けたとき、記憶手段に保存された送信番号から受信信号の送信時間を設定し、かつ、その送信時間と一定時間待機の解除命令とを通知する送信時間設定手段とを有し、送信制御手段は、送信時間と一定時間待機の解除命令の通知を受けたとき、その送信時間の経過後に受信信号を前記送信部から送信する。
【０００９】
【発明の実施の形態】
図１は本発明の実施の形態における照明システムの中継器のブロック構成図、図２は実施の形態における照明システムの運用を示す模式図、図３は実施の形態の照明システムで用いられる赤外線信号の概念を示す構成図である。なお、図４で説明した従来例と同一又は相当部分には同じ符号を付し説明を省略する。
【００１０】
本実施の形態の中継器１１は、例えば図２に示すように照明器具２と照明器具３との間に設置され、床面を反射した赤外線信号を受信する受信部１２と、赤外線信号を床面に向けて送信する送信部１３と、例えばマイコンからなる制御部１４とからなっている。受信部１２は、各照明器具１〜３にそれぞれ設けられた受信部５と同じ機能を備えたもので、パルス変調された赤外線信号に基づいて制御信号を生成し制御部１４に入力する。送信部１３は、前記と同様に各照明器具１〜３にそれぞれ設けられた送信部６と同じ機能を備えたもので、制御部１４から出力された制御信号に基づいて赤外光を発し床面に向けて送信する。
【００１１】
各照明器具１〜３から送信される赤外線信号は、例えば図３（ｂ）に示すように照明器具１，２の送信番号を「１」，「２」、中継器１１の送信番号を「３」、照明器具３の送信番号を「４」とした場合、時間長０．２秒のフレームが送信番号「１」から昇順に並べられた順と、逆に送信番号「４」から降順に並べられた順で送信され、各フレームのデータ領域には少なくとも送信番号、調光情報等がそれぞれ書き込まれている。
【００１２】
前述した制御部１４は、図１に示すように送信番号判別部１４ａと、送信番号等を保存するための記憶部１４ｂと、送信時間設定部１４ｃと、送信制御部１４ｄと、情報設定部１４ｅとを備えている。送信番号判別部１４ａは、受信部１２によって変換された制御信号の入力を検知したときに記憶部１４ｂにアクセスし、本中継器１４の送信順序を示す送信番号が保存されているかどうかを判定する。送信番号が保存されていないときは送信番号無しを送信制御部１４ｄに通知し、送信番号が保存されているときは送信番号有りを送信時間設定部１４ｃに通知する。
【００１３】
送信時間設定部１４ｃは、送信番号判別部１４ａから送信番号有りの通知を受けたとき、一定時間待機の解除命令と記憶部１４ｂに保存された送信番号に基づく送信時間とを送信制御部１４ｄに通知する。
【００１４】
例えば図２において、照明器具２の送信番号を「２」としたとき、中継器１１に読み込まれるフレームのデータ領域（図３（ｂ）参照）と記憶部１４ｄとに送信番号「３」が設定されていた場合は、昇順・降順ともに赤外線信号が受信されてから０．２秒経過後に送信させる送信命令を通知する。
【００１５】
また、図２において、照明器具３の送信番号を「３」としたとき、中継器１１に読み込まれるフレームのデータ領域（図３（ｃ）参照）と記憶部１４ｄとに送信番号「４」が設定されていた場合は、昇順では、照明器具２からの赤外線信号が受信されてから０．４秒経過後に送信させ、降順では一番最初に送信させる送信命令を通知する。なお、図３（ｃ）の降順において、送信番号「３」（照明器具３）から送信された信号については、隣の送信番号「４」（中継器１１）は既に送信順番が終えた後なので受け取らない。
【００１６】
さらに、図２において、照明器具１の送信番号を「１」、照明器具２の送信番号を「４」、中継器１１に読み込まれるフレームのデータ領域（図３（ｄ）参照）と記憶部１４ｄとに送信番号「２」が設定され、照明器具３の送信番号を「３」とした場合は、昇順では、照明器具２からの赤外線信号が受信されても、設定された送信番号に基づく送信時間は経過後であるので送信命令を通知せず、また降順では、照明器具４からの赤外線信号が受信されてから０．４秒経過後に送信させる送信命令を通知する。なお、図３（ｄ）の降順において、送信番号２（中継器１１）から送信された信号については、隣の送信番号３は初めてであるため受信するが、送信順番は既に経過後なので送信しない。
【００１７】
送信制御部１４ｄは、送信番号判別部１４ａから送信番号無しの通知を受けたとき、一定時間待機後に、受信された赤外線信号を送信部１３に出力して赤外光を発せさせ赤外線信号を送信し、また、送信時間設定部１４ｃからの一定時間待機の解除命令を受けたときは、送信時間設定部１４ｃによって通知された送信時間経過後に、入力された制御信号を送信部１３に出力して赤外光を発せさせ赤外線信号を送信する。
【００１８】
情報設定部１４ｅは、リモコン（図示せず）から送信された赤外線信号が受信されると、その赤外線信号から例えば送信番号を抽出して記憶部１４ｂに書き込む。この設定は、中継器１１に送信番号が設定されていない場合や、送信番号の再設定を行う場合に、現場サイドで行えるようになっている。
【００１９】
次に、前述した中継器の動作を図２及び図３を参照しながら説明する。（１）まず最初に中継器に送信番号が設定されていないときの動作を説明し、（２）次に照明器具に設定された送信番号と連番となる送信番号が設定された中継器の動作を説明し、（３）最後に照明器具の最終送信番号に続く番号が設定された中継器の動作を説明する。なお、電源印加時に照明器具１から赤外線信号が送信されるものとする。
【００２０】
（１）まず、照明器具１は自己の送信番号を確認してから調光情報に基づいて蛍光ランプ７を点灯し、かつ、予め設定された赤外線信号を送信部６から床面に向けて送信する。この場合の赤外線信号の送信・受信は図３（ａ）となる。照明器具２は、床面を反射した赤外線信号を受信部５を介して取り込んで、自己のフレームに書き込まれた調光情報に基づいて蛍光ランプ７を点灯し、０．２秒後に受信赤外線信号を送信部６から送信する。この赤外線信号を中継器１１の受信部１２が受信して制御信号に変換し、送信番号判別部１４ａは、制御信号の入力をタイミングとして記憶部１４ｂにアクセスし、本中継器１４の送信順序を示す送信番号が保存されているかどうかを判別する。この場合は、送信番号が保存されていないので、送信番号無しを送信制御部１４ｃに通知し、送信制御部１４ｃは、送信番号判別部１４ａから送信番号無しの通知を受けたとき、一定時間待機後に、受信された赤外線信号と同じ赤外線信号を送信部１３から送信して、照明器具３に受信させる。また、照明器具３が赤外線信号を受信した後に、次に降順にて前記と同じ動作を行い送信及び受信を行う。
【００２１】
（２）においては、中継器１１の受信部１２が床面を反射した照明器具２からの赤外線信号を受信すると（図３（ｂ）参照）、送信番号判別部１４ａは、前記と同様に記憶部１４ｂにアクセスして、送信番号が保存されているかどうかを判別する。この場合は、照明器具２の送信番号「２」に連番の送信番号「３」が保存されているので、送信時間設定部１４ｃに送信番号有りを通知する。この時、送信時間設定部１４ｃは、受信した赤外線信号と記憶部１４ｂに保存された送信番号「３」とに基づき送信時間を設定する。この場合では、昇順・降順ともに送信順序が連番であるので、赤外線信号が受信さてから０．２秒経過後に送信させる送信命令と、一定時間待機の解除命令とを送信制御部１４ｄに通知する。この送信制御部１４ｄは、一定時間待機を解除し、かつ、送信時間設定部１４ｃによって通知された昇順・降順ともに０．２秒経過後に、変換された制御信号を送信部１３に出力して赤外光を発せさせ、赤外線信号を送信する。
【００２２】
（３）においては、前記（２）と同様に中継器１１の受信部１２が照明器具２からの赤外線信号を受信し制御信号に変換する。この場合の赤外線信号の送信・受信は図３（ｃ）（ｄ）となる。ここでは、（ｃ）について説明する。これは、照明器具３の送信番号「３」に続く番号「４」が中継器１１に設定されているからである。送信番号判別部１４ａは、その制御信号の入力を検知すると、記憶部１４ｂにアクセスして送信番号が保存されているかどうかを判別する。この場合は、送信番号「４」が保存されているので、送信番号有りを送信時間設定部１４ｃに通知する。この時、送信時間設定部１４ｃは、受信した赤外線信号と記憶部１４ｂに保存された送信番号「４」とに基づき送信時間を設定する。この場合は、昇順では０．４秒経過後に送信させ、降順では一番最初に送信させる送信命令と、一定時間待機の解除命令とを送信制御部１４ｄに通知する。この送信制御部１４ｄは、送信時間設定部１４ｃによって通知された昇順では０．４秒経過後、降順では一番最初に、変換された制御信号を送信部１３に出力して赤外光を発せさせ、赤外線信号を送信する。
【００２３】
以上のように本実施の形態によれば、照明器具から送信された赤外線信号を転送する中継器１１を備えたので、建物のレイアウトの変更によるパーテーション等の追加によって赤外線信号が送受信できなくなった場合や、外部環境の影響によって赤外線信号が阻害されたり妨害された場合でも、照明器具間で送受信が行われる赤外線信号を確実に転送することでき、このため、設計上、必要のない照明器具を追加しなくてすみ、また、取付工事が照明器具と比べ容易で工数を抑えることができる。
【００２４】
【発明の効果】
（１）本発明によれば、受信部を通じて信号の受信を検知したときに記憶手段に送信番号が保存されていないときは、受信された信号を送信部から送信する中継器を設けたので、建物のレイアウトの変更によるパーテーション等の追加によって赤外線信号が送受信できなくなった場合や、外部環境の影響によって赤外線信号が阻害されたり妨害された場合でも、照明器具間で送受信が行われる赤外線信号を確実に転送することでき、このため、設計上、必要のない照明器具を追加しなくてすみ、また、取付工事が照明器具と比べ容易で工数を抑えることができる。
【００２５】
（２）本発明によれば、受信部を通じて信号の受信を検知したときに、記憶手段に送信番号が存在されているときは、記憶手段に存在された送信番号に基づく送信時間経過後に受信信号を送信部から送信する中継器を設けたので、建物のレイアウトの変更によるパーテーション等の追加によって赤外線信号が送受信できなくなった場合や、外部環境の影響によって赤外線信号が阻害されたり妨害された場合でも、照明器具間で送受信が行われる赤外線信号を確実に転送することでき、このため、設計上、必要のない照明器具を追加しなくてすみ、また、取付工事が照明器具と比べ容易で工数を抑えることができる。
【図面の簡単な説明】
【図１】  本発明の実施の形態における照明システムの中継器のブロック構成図である。
【図２】  実施の形態における照明システムの運用を示す模式図である。
【図３】  実施の形態の照明システムで用いられる赤外線信号の概念を示す構成図である。
【図４】  従来の照明システムの運用を示す模式図である。
【符号の説明】
１  照明器具、２  照明器具、３  照明器具、５  受信部、６  送信部、
１１  中継器、１２  受信部、１３  送信部、１４  制御部。
【図１】
0003921587.tif 000002
【図２】
0003921587.tif 000003
【図３】
0003921587.tif 000004
【図４】
0003921587.tif 000005